【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
第１の周波数バンドを介して第１のネットワークノードと通信するように構成された第１のトランシーバと、
第２の周波数バンドを介して前記第１のネットワークノードと通信するように構成された第２のトランシーバと、
Bluetoothプロトコルに従って動作するように構成された第３のトランシーバと、
前記第１の周波数バンド上で前記第１のネットワークノードとの通信リンクを確立することと、
代替バンド情報を処理することと、ここにおいて、前記代替バンド情報は前記第１のトランシーバを用いて通信され、前記通信リンクを確立する際に使用されるアソシエーションハンドシェーク中に前記第１のネットワークノードと交換されるアソシエーション情報を含む、
前記第１のネットワークノードとの別のアソシエーションハンドシェークを行うことなく、前記第１の周波数バンドから前記第２の周波数バンドに前記第１のネットワークノードとの通信を動的に切り替えるために、前記代替バンド情報を使用することと、ここにおいて、前記動的に切り替えることは、前記第３のトランシーバの動作状態に少なくとも部分的に基づいている、
を行うように構成されたバンドマネージャと、
を備える、ワイヤレス通信デバイス。
【請求項２】
前記バンドマネージャは代替バンド情報を前記第１のネットワークノードに送信することにより前記代替バンド情報を処理するように構成される、請求項１のワイヤレス通信デバイス。
【請求項３】
前記バンドマネージャは前記第１のネットワークノードから代替バンド情報を受信することにより前記代替バンド情報を処理するように構成される、請求項１のワイヤレス通信デバイス。
【請求項４】
前記第１の周波数バンドは２．４ＧＨｚバンドであり、前記第２の周波数バンドは５ＧＨｚバンドである、請求項１のワイヤレス通信デバイス。
【請求項５】
ワイヤレス通信デバイスとの通信のための方法において、
第１の周波数バンド上で前記ワイヤレス通信デバイスとの通信リンクを確立することと、
第１の周波数バンドを介して第１のネットワークノードと通信するように構成された第１のトランシーバと第２の周波数バンドを介して前記第１のネットワークノードと通信するように構成された第２のトランシーバとを有するワイヤレス通信デバイスを提供することと、
代替バンド情報を処理することと、ここにおいて、前記代替バンド情報は前記第１の周波数バンドを用いて通信され、前記通信リンクを確立する際に使用されるアソシエーションハンドシェーク中に前記ワイヤレス通信デバイスと交換されるアソシエーション情報を含む、
前記ワイヤレス通信デバイスとの別のアソシエーションハンドシェークを行うことなく、前記第１の周波数バンドから前記第２の周波数バンドに前記ワイヤレス通信デバイスとの通信を動的に切り替えるために、前記代替バンド情報を使用することと、ここにおいて、前記動的に切り替えることは、Bluetoothプロトコルに従って動作するように構成された前記ワイヤレス通信デバイスのトランシーバの動作状態に少なくとも部分的に基づいている、
を備える、方法。
【請求項６】
代替バンド情報を処理することは前記代替バンド情報を前記ワイヤレス通信デバイスへ送信することを備える、請求項５の方法。
【請求項７】
代替バンド情報を処理することは前記ワイヤレス通信デバイスから前記代替バンド情報を受信することを備える、請求項５の方法。
【請求項８】
前記第１の周波数バンドは２．４ＧＨｚバンドであり、前記第２の周波数バンドは５ＧＨｚバンドである、請求項５の方法。
【請求項９】
請求項５乃至８のうちのいずれか一項に記載の方法を行うための命令を備える、コンピュータプログラム。
【手続補正２】
【補正対象書類名】明細書
【補正対象項目名】００４９
【補正方法】変更
【補正の内容】
【００４９】
[0056]現在の好ましい実施形態が本明細書において説明されている。しかしながら、本発明に係る当業者は、本開示の原理が、適切な修正により、他の応用例に容易に拡張され得ることを理解するだろう。
以下に本願の出願当初の特許請求の範囲に記載された発明を付記する。
［Ｃ１］
第１の周波数バンドを介して第１のネットワークノードと通信するように構成された第１のトランシーバと、
第２の周波数バンドを介して前記第１のネットワークノードと通信するように構成された第２のトランシーバと、および
代替バンド情報を処理するように構成されたバンドマネージャと、ここにおいて、前記代替バンド情報は前記第１のトランシーバを用いて通信され、前記第２の周波数バンドを介して前記第１のネットワークノードとの通信を可能にする、
を備えた、ワイヤレス通信デバイス。
［Ｃ２］
前記代替バンド情報はさらなるハンドシェーク交換なしに前記第２の周波数バンドを介した通信を可能にする、Ｃ１のワイヤレス通信デバイス。
［Ｃ３］
前記バンドマネージャは代替バンド情報を前記第１のネットワークノードに送信することにより前記代替バンド情報を処理するように構成される、Ｃ１のワイヤレス通信デバイス。
［Ｃ４］
前記バンドマネージャは前記第１のネットワークノードから代替バンド情報を受信することにより前記代替バンド情報を処理するように構成される、Ｃ１のワイヤレス通信デバイス。
［Ｃ５］
前記バンドマネージャは、定義された基準に少なくとも部分的に基づいて前記第１のトランシーバを用いることから前記第２のトランシーバを用いることへ切り替えることにより前記第１のネットワークノードと通信するようにさらに構成される、Ｃ４のワイヤレス通信デバイス。
［Ｃ６］
前記ワイヤレス通信デバイスはさらにBluetoothモジュールを備え、前記定義された基準は前記Bluetoothモジュールの動作状態である、Ｃ５のワイヤレス通信デバイス。
［Ｃ７］
前記第１の周波数バンドは２．４ＧＨｚバンドであり、前記第２の周波数バンドは５ＧＨｚバンドである、Ｃ６のワイヤレス通信デバイス。
［Ｃ８］
ワイヤレス通信デバイスとの通信のための方法において、
第１の周波数バンドを介して第１のネットワークノードと通信するように構成された第１のトランシーバと第２の周波数バンドを介して前記第１のネットワークノードと通信するように構成された第２のトランシーバを有するワイヤレス通信デバイスを提供することと、
代替バンド情報を処理することと、ここにおいて、前記代替バンド情報は前記第１のトランシーバを用いて通信され、前記第２の周波数バンドを介して前記第１のネットワークノードとの通信を可能にする、
を備えた、方法。
［Ｃ９］
前記代替バンド情報はさらなるハンドシェーク交換なしに前記第２の周波数バンドを介した通信を可能にする、Ｃ８の方法。
［Ｃ１０］
代替バンド情報を処理することは前記代替バンド情報を前記第１のネットワークノードへ送信することを備える、Ｃ８の方法。
［Ｃ１１］
代替バンド情報を処理することは前記第１のネットワークノードから前記代替バンド情報を受信することを備える、Ｃ１の方法。
［Ｃ１２］
定義された基準に少なくとも部分的に基づいて前記第１のトランシーバを用いることから前記第２のトランシーバを用いることへ切り替えることにより前記第１のネットワークノードと通信することをさらに備えた、Ｃ１１の方法。
［Ｃ１３］
前記定義された基準は前記第１のトランシーバとコロケートされたBluetoothモジュールの動作状態である、Ｃ１２の方法。
［Ｃ１４］
前記第１の周波数バンドは２．４ＧＨｚであり、前記第２の周波数バンドは５ＧＨｚである、Ｃ１３の方法。
［Ｃ１５］
第１の周波数バンドを介して第１のネットワークノードと通信するように構成された第１のトランシーバと、第２の周波数バンドを介して前記第１のネットワークノードと通信するように構成された第２のトランシーバとを有するワイヤレス通信デバイスを動作させるための非一時的プロセッサ可読記憶媒体であって、前記プロセッサ可読記憶媒体は命令群を有し、前記命令群は代替バンド情報を処理するためのコードを備え、
前記代替バンド情報は前記第１のトランシーバを用いて通信され、前記第２の周波数バンドを介して前記第１のネットワークノードとの通信を可能にする、非一時的プロセッサ可読記憶媒体。
［Ｃ１６］
前記代替バンド情報はさらなるハンドシェーク交換なしに前記第２の周波数バンドを介した通信を可能にする、Ｃ１５の記憶媒体。
［Ｃ１７］
前記命令群は代替バンド情報を前記第１のネットワークノードに送信することにより前記代替バンド情報を処理するように構成されたＣ１５の記憶媒体。
［Ｃ１８］
前記命令群は前記第１のネットワークノードから代替バンド情報を受信することにより前記代替バンド情報を処理するように構成されたＣ１５の記憶媒体。
［Ｃ１９］
前記命令群はさらに定義された基準に少なくとも部分的に基づいて前記第１のトランシーバを用いることから前記第２のトランシーバを用いることへ切り替えることにより前記第１のネットワークノードと通信するためのコードをさらに備える、Ｃ１８の記憶媒体。
［Ｃ２０］
前記定義された基準は前記第１のトランシーバとコロケートされたBluetoothモジュールの動作状態である、Ｃ１９の記憶媒体。